(57)【要約】【課題】三人以上の仲間どうしのお喋りや会議等を、音声通信だけでなく画像通信も利用して行って、互いの親近感を高めたり連帯感を共有することができ、しかも少ない通信容量で簡便に実現することができる携帯電話におけるマイキャラクター表示システムを提供すること。【解決手段】複数の携帯電話端末装置１０がネットワークを介して互いに接続された状態の時に、その時接続されている全ての携帯電話端末装置１０に属するマイキャラクター画像を、その時接続されている全ての携帯電話端末装置１０の各表示部１３に並べて同時に表示する。【選択図】      図５
2007267098.tif 000002
【特許請求の範囲】
【請求項１】
ネットワークを介して互いに接続される複数の携帯電話端末装置の各々に、その携帯電話端末装置に属するマイキャラクター画像を記録するためのマイキャラクター画像記録部と、上記マイキャラクター画像等を表示することができる表示部とが設けられて、
上記複数の携帯電話端末装置が上記ネットワークを介して互いに接続された状態の時に、その時接続されている全ての携帯電話端末装置に属するマイキャラクター画像を、その時接続されている全ての携帯電話端末装置の各表示部に並べて同時に表示するようにしたことを特徴とする携帯電話におけるマイキャラクター表示システム。
【請求項２】
上記複数の携帯電話端末装置が３台以上の携帯電話端末装置である請求項１記載の携帯電話におけるマイキャラクター表示システム。
【請求項３】
上記各携帯電話端末装置の表示部には、その時接続されている他の全ての携帯電話端末装置に属するマイキャラクター画像と共に、その携帯電話端末装置自体に属するマイキャラクター画像も表示される請求項１又は２記載の携帯電話におけるマイキャラクター表示システム。
【請求項４】
上記各携帯電話端末装置の表示部に並べて表示されている複数のマイキャラクター画像のうち、音声信号を発信している携帯電話端末装置に属するマイキャラクター画像が、音声信号を発信していない携帯電話端末装置に属するマイキャラクター画像と区別される態様で上記各携帯電話端末装置の表示部に表示される請求項１、２又は３記載の携帯電話におけるマイキャラクター表示システム。
【請求項５】
上記音声信号を発信している携帯電話端末装置に属するマイキャラクター画像が、音声信号を発信していない携帯電話端末装置に属するマイキャラクター画像と比較して明るく表示される請求項４記載の携帯電話におけるマイキャラクター表示システム。
【請求項６】
上記音声信号を発信している携帯電話端末装置に属するマイキャラクター画像が、音声信号を発信していない携帯電話端末装置に属するマイキャラクター画像と部分的又は全体的に相違する色で表示される請求項４記載の携帯電話におけるマイキャラクター表示システム。
【請求項７】
上記音声信号を発信している携帯電話端末装置に属するマイキャラクター画像が、上記各携帯電話端末装置の表示部の中央位置に移動して表示される請求項４記載の携帯電話におけるマイキャラクター表示システム。
【請求項８】
上記音声信号を発信している携帯電話端末装置に属するマイキャラクター画像の少なくとも口の部分が、上記音声信号に合わせて動く状態に上記各携帯電話端末装置の表示部に表示される請求項４ないし７のいずれかの項に記載の携帯電話におけるマイキャラクター表示システム。
【請求項９】
上記各携帯電話端末装置の表示部に、上記各マイキャラクター画像と共に、各携帯電話端末装置の使用者の名前が表示される請求項１ないし８のいずれかの項に記載の携帯電話におけるマイキャラクター表示システム。
【請求項１０】
上記の互いに接続されている複数の携帯電話端末装置に属する各マイキャラクター画像が共通の特徴部分を有している請求項１ないし９のいずれかの項に記載の携帯電話におけるマイキャラクター表示システム。
【発明の詳細な説明】
【技術分野】
【０００１】
この発明は携帯電話におけるマイキャラクター表示システムに関する。
【背景技術】
【０００２】
携帯電話端末装置を利用した通信において、同時に３台以上の携帯電話端末装置を接続することで、仲間どうしのお喋りや会議等を行うことができるようにしたものがある（例えば、特許文献１）。しかし、そこでは音声通信しか行えないので、互いの親近感を高めたり連帯感を共有するような効果を得ることは難しい。
【０００３】
そこで、自分の顔をカメラで撮りながら音声信号と共に画像信号を相手に送信して、互いに相手の顔を携帯電話端末装置に表示しながら会話をすることができるいわゆるテレビ電話を可能にしたものがある（例えば、特許文献２、３）。しかし、そのようなテレビ電話で三人以上の仲間どうしのお喋りや会議等を行おうとすると、莫大な通信容量が必要になってしまう。
【特許文献１】特開平１０−１３６１００
【特許文献２】特開平８−１４０１４３
【特許文献３】特開２００５−２３６５７１
【発明の開示】
【発明が解決しようとする課題】
【０００４】
上述のように、従来の携帯電話端末装置を利用した通信において、三人以上の仲間どうしのお喋りや会議等を画像通信を用いて行おうとしても、いわゆるテレビ電話システム等では莫大な通信容量が必要になるため、非効率的であり実用性が乏しかった。
【０００５】
そこで本発明は、三人以上の仲間どうしのお喋りや会議等を、音声通信だけでなく画像通信も利用して行って、互いの親近感を高めたり連帯感を共有することができ、しかも少ない通信容量で簡便に実現することができる携帯電話におけるマイキャラクター表示システムを提供することを目的とする。
【課題を解決するための手段】
【０００６】
上記の目的を達成するため、本発明の携帯電話におけるマイキャラクター表示システムは、ネットワークを介して互いに接続される複数の携帯電話端末装置の各々に、その携帯電話端末装置に属するマイキャラクター画像を記録するためのマイキャラクター画像記録部と、マイキャラクター画像等を表示することができる表示部とが設けられて、複数の携帯電話端末装置がネットワークを介して互いに接続された状態の時に、その時接続されている全ての携帯電話端末装置に属するマイキャラクター画像を、その時接続されている全ての携帯電話端末装置の各表示部に並べて同時に表示するようにしたものである。
【０００７】
なお、複数の携帯電話端末装置とは３台以上の携帯電話端末装置であるとよく、各携帯電話端末装置の表示部には、その時接続されている他の全ての携帯電話端末装置に属するマイキャラクター画像と共に、その携帯電話端末装置自体に属するマイキャラクター画像も表示されるとよい。
【０００８】
また、各携帯電話端末装置の表示部に並べて表示されている複数のマイキャラクター画像のうち、音声信号を発信している携帯電話端末装置に属するマイキャラクター画像が、音声信号を発信していない携帯電話端末装置に属するマイキャラクター画像と区別される態様で各携帯電話端末装置の表示部に表示されるとよく、その具体的態様として、音声信号を発信している携帯電話端末装置に属するマイキャラクター画像が、音声信号を発信していない携帯電話端末装置に属するマイキャラクター画像と比較して明るく表示されるようにしてもよく、部分的又は全体的に相違する色で表示されるようにしてもよく、或いは、各携帯電話端末装置の表示部の中央位置に移動して表示されるようにしてもよい。
【０００９】
また、音声信号を発信している携帯電話端末装置に属するマイキャラクター画像の少なくとも口の部分が、音声信号に合わせて動く状態に各携帯電話端末装置の表示部に表示されるようにすると臨場感が高まり、各携帯電話端末装置の表示部に、各マイキャラクター画像と共に、各携帯電話端末装置の使用者の名前が表示されるようにしてもよい。また、互いに接続されている複数の携帯電話端末装置に属する各マイキャラクター画像が共通の特徴部分を有していると、互いの連帯感が高まる。
【発明の効果】
【００１０】
本発明によれば、複数の携帯電話端末装置がネットワークを介して互いに接続された状態の時に、その時接続されている全ての携帯電話端末装置に属するマイキャラクター画像を、その時接続されている全ての携帯電話端末装置の各表示部に並べて同時に表示するようにしたことにより、三人以上の仲間どうしのお喋りや会議等を、音声通信だけでなく画像通信も利用して行って、互いの親近感を高めたり連帯感を共有することができ、しかもテレビ電話通信等に比べて非常に少ない通信容量で簡便に実現することができる。
【発明を実施するための最良の形態】
【００１１】
図面を参照して本発明の実施の形態を説明する。
図１は、本発明の携帯電話端末装置１０の構成を略示しており、音声を出力するスピーカー１１、音声を入力するためのマイクロフォン１２、文字や画像等を表示するためのカラーの液晶ディスプレイ装置等からなる表示部１３、操作者が指先で各種の入力操作を行うための入力キー１４、スピーカー１１やマイクロフォン１２への信号の入出力処理等を行うための信号処理部１５、アンテナ１６を介して無線電波を送受信するための送受信部１７、それら各部の動作制御を司るＣＰＵ（中央演算装置）等を内蔵する制御部１８、及び音声、文字及び画像等を含む各種の情報を記憶するためのメモリ１９等が配置されている。メモリ１９にはＲＡＭ、ＲＯＭ等が含まれている。この携帯電話端末装置１０は、ネットワークを介して他の携帯電話端末装置１０と接続することができ、文字、音声及び次に説明するマイキャラクター画像等の画像を送受信することができる機能を有している。
【００１２】
メモリ１９には、その携帯電話端末装置１０独自のキャラクター画像（以下、「その携帯電話端末装置１０に属するマイキャラクター画像」という）が記録されている。なお、本発明において「キャラクター」とは、現存する物語の登場人物等に限定されず、人間又は動物等の少なくとも顔を含む姿形という程度の広い範囲のものをいい、「マイキャラクター」とは、特定の携帯電話端末装置１０のメモリ１９に、あたかもその携帯電話端末装置１０の属性であるかのごとく記憶されたキャラクターをいい、マイキャラクター画像は、図示されていないサーバーから取得することができる。ただし、携帯電話端末装置１０に付設された図示されていないデジタルカメラで取り込めるようにしても差し支えない。
【００１３】
なお、携帯電話端末装置１０のメモリ１９に記録されたマイキャラクター画像は、音声信号（即ち、音声の再生）に合わせて少なくとも口の部分が動くように表示される機能を有している。そのような技術は公知なので（例えばＵＳＰ６６６１４１８や特開２００５−１１５８９６等）、その部分についての説明は省略する。また、図２に示されるように、携帯電話端末装置１０は、携帯電話端末装置１０の使用者が表示部１３を見ながら通話をすることができるいわゆるスピーカーフォンの機能を有している。
【００１４】
本発明においては、少なくとも３台の携帯電話端末装置１０がネットワークを介して同時に接続され、その状態で互いに会話をすることができるようになっている。その点は特許文献１に記載されている従来の携帯電話会議と同じであるが、本発明においては、さらに、複数の携帯電話端末装置１０がネットワークを介して互いに接続された状態の時に、その時接続されている全ての携帯電話端末装置１０に属するマイキャラクター画像を、その時接続されている全ての携帯電話端末装置１０の各表示部１３に並べて同時に表示することができるようになっている。
【００１５】
図３は、そのようなマイキャラクター画像の表示を行うために各携帯電話端末装置１０で実行されるソフトウェアの内容を略示するフロー図である。Ｓは処理ステップを示しており、この処理は、複数の携帯電話端末装置１０がネットワークを介して接続された状態になった時にスタートし、まず、メモリ１９に格納されているその携帯電話端末装置１０に属するマイキャラクター画像を、他の各携帯電話端末装置１０に送信する（Ｓ１）。なお、処理開始の条件を、少なくとも３台の携帯電話端末装置１０が同時に接続された状態になることにしてもよい。
【００１６】
そして、他の全ての携帯電話端末装置１０から送られてきたマイキャラクター画像を各々読み込んでメモリ１９に格納し、その時接続されている他の全ての携帯電話端末装置１０に属するマイキャラクター画像を、その携帯電話端末装置１０自体のマイキャラクター画像と共に、図４に例示されるように、表示部１３に均等に並べて同時に表示する（Ｓ２）。なお、メモリ１９に、相手方の電話番号又はメールアドレス等と共に相手方のマイキャラクター画像が予め記録されている場合には、その画像を読み出して表示部１３に表示するようにしてもよい。
【００１７】
このようにして、その時接続されている全ての携帯電話端末装置１０に属するマイキャラクター画像が自分のマイキャラクター画像も含めて各携帯電話端末装置１０の各表示部１３に並べて同時に表示されることにより、互いの親近感を高めたり連帯感を共有する効果が得られ、その状態下で三人以上の仲間どうしのお喋りや会議等を行うことができる。また、図４に示されるように、表示部１３に表示されている各携帯電話端末装置１０に属するマイキャラクター画像が共通の特徴部分（例えば、帽子だけが互いに相違する）を有していれば互いの親近感や連帯感がより高まるので、仲間どうしで予め共通の特徴部分を有するマイキャラクター画像を取得しておくとよい。
【００１８】
そして、発言者のマイキャラクター画像の少なくとも口の部分が音声信号に対応してあたかも喋っているかのごとく動くと臨場感が得られるので、そのような機能のエンジン（ソフトウェア）を各携帯電話端末装置１０に保有させておくとよい。そのような技術は前出のＵＳＰ６６６１４１８等に記載された公知のものであり、画像をリアルタイアムで送信することなく、当初送られてきて表示部１３に表示されているマイキャラクター画像を音声信号の入力に合わせて動作させることができる。
【００１９】
図３に戻って、Ｓ２で全ての携帯電話端末装置１０に属するマイキャラクター画像が表示部１３に均等に表示されたら、他の携帯電話端末装置１０からの音声信号入力を待ち（Ｓ３）、音声信号を発した携帯電話端末装置１０に属するマイキャラクター画像を、図５に略示されるように他のマイキャラクター画像より明るく表示する（Ｓ４）。これによって、今誰が喋っているかが判り易くなる。なお、明るさを変えるのに代えて、音声信号を発した携帯電話端末装置１０に属するマイキャラクター画像を、部分的又は全体的に（例えば背景部分）他と相違する色で表示するようにしてもよく、その場合は、処理ステップＳ４〜Ｓ６を図６に示されるように変えればよい。
【００２０】
再び図３に戻って、この実施の形態のＳ４の処理において、音声信号を発する携帯電話端末装置１０が複数同時にある場合には、先に音声信号を発した携帯電話端末装置１０に属するマイキャラクター画像だけを明るく表示する。それによって、発言の優先権が明示される効果がある。ただし、音声信号を発する携帯電話端末装置１０が複数同時にある場合に、その複数の携帯電話端末装置１０に属する各マイキャラクター画像を同時に明るく（又は色を変えて）表示するようにしてもよい。
【００２１】
そして、音声信号が同じ携帯電話端末装置１０から持続的に入力されている間はその携帯電話端末装置１０に属するマイキャラクター画像を明るく表示するが、その携帯電話端末装置１０からの音声信号入力が一定時間（例えば数秒間）途絶えたら（Ｓ５）、表示部１３に明るく表示されていたマイキャラクター画像の明るさを元に戻して（Ｓ６）、次の音声信号入力を待つところ（Ｓ３）から繰り返す。
【００２２】
このようにして、複数の携帯電話端末装置１０の使用者が、各々の表示部１３に表示されている複数のマイキャラクター画像を同時に見ながら、お喋りや会議等をして、互いの親近感を高めたり連帯感を共有することができ、しかも画像通信は最初だけ行えばよいので、少ない通信容量で簡便に実現することができる。
【００２３】
なお、本発明は上記実施例に限定されるものでななく、例えば図７に示されるように、音声信号を発信している携帯電話端末装置１０に属するマイキャラクター画像が、各携帯電話端末装置１０の表示部１３の中央位置に移動して表示されるようにしてもよい。そのようにするには、図８に示されるように、Ｓ４の処理で、音声信号を発信している携帯電話端末装置１０に属するマイキャラクター画像を表示部１３の中央位置に移動させ、Ｓ６の処理で元の位置に戻せばよい。その他の処理内容は図３の処理と同じである。
【００２４】
要するに、本発明においては、各携帯電話端末装置１０の表示部１３に並べて表示されている複数のマイキャラクター画像のうち、音声信号を発信している携帯電話端末装置１０に属するマイキャラクター画像が、音声信号を発信していない携帯電話端末装置１０に属するマイキャラクター画像と区別される態様で各携帯電話端末装置１０の表示部に表示されるようにすればよい。
【００２５】
また、図９に示されるように、各携帯電話端末装置１０の表示部１３に、各マイキャラクター画像と共に携帯電話端末装置１０の使用者の名前を表示して、マイキャラクターの持ち主名を明瞭にさせてもよい。
【図面の簡単な説明】
【００２６】
【図１】本発明の実施の形態の携帯電話におけるマイキャラクター表示システムの構成略示図である。
【図２】本発明の実施の形態の携帯電話端末装置の使用状態の外観略示図である。
【図３】本発明の実施の形態の携帯電話端末装置において実行されるソフトウェアの内容を略示するフロー図である。
【図４】本発明の実施の形態の携帯電話端末装置の表示部に表示されるマイキャラクター画像の状態を示す略示図である。
【図５】本発明の実施の形態の携帯電話端末装置の表示部に表示されるマイキャラクター画像の状態を示す略示図である。
【図６】本発明の第２の実施の形態の携帯電話端末装置において実行されるソフトウェアの内容を部分的に略示するフロー図である。
【図７】本発明の第３の実施の形態の携帯電話端末装置の表示部に表示されるマイキャラクター画像の状態を示す略示図である。
【図８】本発明の第３の実施の形態の携帯電話端末装置において実行されるソフトウェアの内容を部分的に略示するフロー図である。
【図９】本発明の第４の実施の形態の携帯電話端末装置の表示部に表示されるマイキャラクター画像の状態を示す略示図である。
【符号の説明】
【００２７】
１０  携帯電話端末装置
１３  表示部
１７  送受信部
１８  制御部
１９  メモリ（マイキャラクター画像記録部）
【図１】
2007267098.tif 000003
【図２】
2007267098.tif 000004
【図３】
2007267098.tif 000005
【図４】
2007267098.tif 000006
【図５】
2007267098.tif 000007
【図６】
2007267098.tif 000008
【図７】
2007267098.tif 000009
【図８】
2007267098.tif 000010
【図９】
2007267098.tif 000011